(57)【要約】本発明は、位置を調節するための回転要素とモーター駆動から構成されるソファ又はベッドに関する。適切でない調節によって生じる利用者のけがを防ぐために、回転の動きが制限される。
2006512118.tif 000002
【特許請求の範囲】
【請求項１】
動かして向きを変えることのできる部分と、動かして向きを変えることのできる装置、特に調節モーターを備え、上に載った人が上半身や脚を載せたまま、各部分が反対方向に向きを変えることができ、及び／又は、上に載った人が脚や足を載せて床とは反対方向に向きを変えることができる部分を持つ、つまり、各部分間で、反対方向へ動かして向きを変えることや、床とは反対方向に向きを変えることが正しくコントロールされていることを特徴とする、調節可能なソファ又はベッド。
【請求項２】
モーターによる調節を想定した、言い換えれば、計算機が、動かして向きを変える部分の位置を決定し、各部分が危険な位置へ移動しようとする際、それ以上危険な方向へ移動しないよう制御装置が阻止するという調節方法を特徴とする、請求項１に記載されたソファ又はベッド。
【請求項３】
調節モーターが、方向転換の位置を調節方法に従って決めることを特徴とする、請求項２に記載されたソファ又はベッド。
【請求項４】
向きを変える際の角度から、その部分の位置が算出され、調節装置を徐々に調節することによって調節方法が経験的に決められると同時に、決定された調節方法に基づいた角度が結果的に決められるか、又は、調節装置の幾何学手法に基づいた位置や調節方法が算出されることを特徴とする、請求項３に記載されたソファ又はベッド。
【請求項５】
用いられる調節モーターが、回動可能に配されると共に、駆動の心棒又はねじ山棒を出したり引っ込めたりすることができることを特徴とする、請求項１〜４の何れかに記載された調節可能なソファ又はベッド。
【請求項６】
心棒又はねじ山棒が自己制御力を有することを特徴とする、請求項１〜５の何れかに記載された調節可能なソファ又はベッド。
【請求項７】
ステップモーター又は調節装置を用いて使用することを特徴とする、請求項１〜６の何れかに記載された調節可能なソファ又はベッド。
【請求項８】
各部分や調節装置の、外側に向かう先端部分においても、少なくとも１００ｋｇの負荷、さらには２００ｋｇそして特に好ましくはさらに少なくとも３００ｋｇまでの負荷がかかっても調節できることを特徴とする、請求項１〜６の何れかに記載された調節可能なソファ又はベッド。
【請求項９】
使用中に、ソファの足部分及び／又は頭部分に、少なくとも１００ｋｇの負荷、さらには、少なくとも２００ｋｇそして特に好ましくは、さらに少なくとも３００ｋｇの負荷をかけても安全な下部構造を有することを特徴とする、請求項８に記載された調節可能なソファ又はベッド。
【請求項１０】
アルミ材、特に穴あき材でできた下部構造を有することを特徴とする、請求項９に記載された調節可能なソファ又はベッド。
【請求項１１】
動かして向きを変えることのできる部分の調節装置のために、補強部品及び／又は寝床台を用いることを特徴とする、請求項１〜１０の何れかに記載された調節可能なソファ又はベッド。
【請求項１２】
動かして向きを変えることのできる部分を寝床台と結合させる、関節として機能する調節装置を有することを特徴とする、請求項１１に記載された調節可能なソファ又はベッド。
【発明の詳細な説明】
【技術分野】
【０００１】
本発明は、調節可能なソファ又はベッドに関する。ソファだけでなく、より広くベッドまでを含む発明である。
【背景技術】
【０００２】
このようなソファは、よく知られている。調節のために、床から遠ざかるような、及び／又は、床と平行となる位置に動かして向きを変えることができるいくつかの部分に分けられる。
さらに好ましいものは、動かして向きを変えることができる部分をその都度回転させて、少なくとも固定できるものである。
【０００３】
よく知られているソファとして、更に、別々の異なる部分が、一つのモーターによって向きを変えることのできるものがある。モーターで、所望するあらゆる位置に向きを変えることができる。最良の状態により近くなるよう色々試す際に、多くの人がモーターなしで向きを変えることを強いられてきた。その際には、立ち上がり再び横になることを何度もせざるを得なかった。モーターで調節できれば、その必要がなくなるので、モーター調節によってより快適になることがわかる。
【０００４】
モーターで動かして向きを変える調節は、同時にけがの危険性を含んでいる。もしソファが、座席部分から続く、調節可能で固定された上半身部分及び脚部分で成り立っている場合には特にそうである。もし両方の部分が、横になっている人に対してそれぞれ逆方向に調節されたら、この人は両方の部品の間で締め付けられる可能性がある。他のソファについては、足のけがの危険性もある。なぜなら、足部分の下で足が締め付けられる可能性があるからである。
【発明の開示】
【発明が解決しようとする課題】
【０００５】
この発明の目的は、向きを変える際の、けがの危険性を取り除くことである。
【課題を解決するための手段】
【０００６】
この発明は、少なくとも、動かして向きを変えることのできる部分に別個の調節モーターを設置するに際し、けがの危険性がなくなるように、隣り合った各部分の境界を認識する手段を有する調節モーターを設置するものである。
【発明の効果】
【０００７】
これによって、隣接する各部分が互いに近づき過ぎることによるけがの危険性がなくなることを保証する。上半身部分と脚部分を備えたソファにとっては、とりわけこの利点は重要である。特に補足するが、足部分と床部分の間で足が留め具に挟まるのを阻止するために、脚部分と足部分のために、動きを制限する手段がとられる。
【発明を実施するための最良の形態】
【０００８】
特に、自己制御及び／又は、固定する力を有する調節モーターが考えられている。自己制御は、例えば、心棒又はねじ山のある棒を有する伝導装置を使ってなされる。その際、例えば、心棒又はねじ山棒とナットが組み合わされる場合がある。動かして向きを変えることができる心棒又はねじ山棒、及び／又はナットを並べて配置することは可能である。心棒と一緒に歯車もまた、共に作用することができる。少なくとも、心棒、又はステップモーター付きねじ山棒が、ベッドに使用される場合もある。心棒の傾斜又はねじ山棒のねじ山の傾斜がゆるやかになればなるほど、心棒又はねじ山棒の自己制御力は強くなる。
自己制御の代わりに又は補助的に、機械工学及び／又は電子工学による制御、更に明確に言えば、電動制御、とりわけモーター制御が想定される。
【０００９】
ステップモーターの心棒又はねじ山棒及び／又はナットは、適宜選択することができる。駆動モーターとしては、同時に歯車の制御を行うステップモーターが好ましい。ステップモーターが、歯車の制御を行う際のステップ位置は自由である。
本発明の実施例は、図面で詳しく説明される。
【００１０】
図１〜４は、椅子部分１、脚部分４、足部分５、上半身部分２、そして頭部分２を有するソファを示す。ジョイントのある別々の部分が一緒に結合される。実施例では、従来のちょうつがいと可動部分とが、このジョイントによってかみあわされ、ボルトによって互いに連結されている。他の実施例では、各々自由に曲げられる合成材料から作られた部品又は板ばねが、ちょうつがいとして使用されている。
【００１１】
椅子部分１は、しっかりした土台構造と強固に結合されている。しっかりした土台構造は、強く曲げられたアルミニウム材から成る足部６を有する。軽量にするために穴があけられる。実施例では、アーチ型の丸みのあるアルミ材が互いに一定の間隔で２本並べられている。椅子部分１に接触した場所で、アーチ型に大きく外に張り出したカーブがある。このアルミ材は、カーブのところからソファの先端の方向に弧を描き、床に密着するまで延びている。同時に、アルミ材の先端に向けて先細りになる。
【００１２】
部分１、２、３に、部分１０及び１１が設けられている。これらの部分は、電動ハブモーター９からジョイントまで、補強されて寝床台を形造る。足部分５と頭部分３も、同様に寝床台とみなされるが、実施例には述べられていない。ハブモーターは心棒１２とつながって、回転によって、ケースから出たり引っ込んだりする。
【００１３】
心棒１２はちょうつがいを介して頭部とつながり、部分１０と向かい合って結合する。これが寝床台を作っている。ハブモーター８と９の他の先端には、部分１０と１１とが結合される。全てのハブモーターは電動ステップモーターであり、各ステップ位置が固定される。
【００１４】
ハブモーターには、向きを変える際の動きに限界が設けられている。向きを変える際の動きの限界は、実施例では計算機によって計算され、それによってステップ位置が記録され、その都度、向きを変えた位置のステップの位置が算出される。
その算出は経験的になされるか、又は、旋回動作と関係する部分に利用できる幾何学に基づいてなされる。経験的に算出することによって、向きを変える位置が判断され、個々のステップの位置がわかる。向きを変える位置全てを比較することによって、ハブモーターが出過ぎたり引っ込みすぎたり、部分の振動によって過度に接近したり離反することを阻止することができる。実施例では、ハブモーターの制御の際に計算機が活用される。より安全な方向に出たり引っ込んだりできるように、ハブモーターはより安全な方向に動かされる。
【００１５】
実施例において、ハブモーターは、１〜５のすべての部分において、各部分の遠く離れた先端部に負荷がかかっても、その都度、調節することができるように配されている。それによって、モーター調節ソファであるにもかかわらず、絶対的に体重の重い人が、ソファの好きな位置に座ったり、横になったりすることができる。
さらなる実施例では、２００ｋｇの負荷を想定した設計がなされ、特に、わずか１００ｋｇの負荷を想定した設計のものも試された。
【００１６】
部分１〜５の調節力の問題については、発生する負荷の状態が独立して維持されるよう調節機構が整備されている。土台構造もまた、強度や安全性の観点から設計される。
ハブモーター８と９は、部分１〜５からわずかな距離のところに配置されている。つまり、ソファの側面図に示されるように、本質的には、ハブモーターは相前後して直線のように並んでいる。その際、該直線は、図４のソファの台の輪郭線に対してほぼ平行に延び、ソファ部分の直線は図１から３まで、ソファの台の輪郭線に一致するように延びる。即ち、本質的に同様の輪郭線を持つ。「本質的に同様」という概念は、ハブモーターの縦軸の傾斜が、自然に横たわる位置、又は自然に横たわるための平らな支えに対する平行から２０°傾く場合を包含する。
【００１７】
ハブモーター８と９の間隔は、実施例では、１５ｃｍである。他の実施例では２０ｃｍ又は３０ｃｍである。
上記構造は、調整機構として、ソファ本体と床面との間隔を好ましいものにし、けがの危険を少なくする。これによって、利用者の足が、調節機構に挟まれることを防止できる。
実施例では、調節機構は、利用者が手にけがをしないように、利用者の手が届かないソファの下部の中心に配置されている。
【００１８】
まだ説明していない実施例では、部分１〜５にマットレス様のクッションが置かれ、クッションとソファの調節機構（部分１〜５とその調節）にはカバーがかけられ、それが安全性にも寄与する。
他の実施例では、部分１〜５及びその調節部のまわりはクッションでおおわれている。
【００１９】
実施例では、調節の際に、部分２と４の回動角が７０°以下に抑えられているとき、部分２と４のより広い回動が阻止される。その位置は図１及び２に表現されている。他の実施例では、より小さいかより大きい角度として、予め設定された計算機の基準値を変更することによって極限値を変えることができる。図１及び２では、足部分が水平状態にある。
計算機と装置もまた、上記されているような同様の方法で、足部分５が床と接触することを阻止する。別の実施例では、更に足部分５の下に誤って足が入り込んで傷つかないように、足部分５の先端と前記床との間に安全な距離が見込まれている。
図３は、部分４及び５が共に水平になっている、本発明のソファである。
図４は、部分１〜４の全てが水平になっている、本発明のソファである。
【図面の簡単な説明】
【００２０】
【図１】椅子部分、脚部分、足部分、上半身部分、及び頭部分を有するソファの斜視図である。
【図２】図１のソファの側面図である。
【図３】脚部分及び足部分が共に水平になっている、本発明のソファの側面図である。
【図４】椅子部分、脚部分、足部分上半身部分２、及び頭部分の全てが水平になっている、本発明のソファの側面図である。
【符号の説明】
【００２１】
１  椅子部分
２  上半身部分
３  頭部分
４  脚部分
５  足部分
【図１】
2006512118.tif 000003
【図２】
2006512118.tif 000004
【図３】
2006512118.tif 000005
【図４】
2006512118.tif 000006
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
ａ）  以下の特徴を持つ、調節可能なソファ又はベッド；
ｂ）  動かして向きを変えることのできる部分を有すると共に、
ｃ）  前記動かして向きを変えることのできる部分には、独立した調節装置、特に調節モーターを有し、
ｄ）  動かして向きを変えることができる上半身部分、
ｅ）  動かして向きを変えることができる脚部分、
ｆ）  動かして向きを変えることができる頭部分、
ｇ）  又は動かして向きを変えることができる足部分があり、その際、
ｈ）  各部分は、床から遠ざかるような及び／又は床と平行となるような位置に調節することが可能であり、以下の特徴を有する；
ｉ）  移動調節が制限され、
ｊ）  計算機により調節方法が決められ、
ｋ）  移動しすぎて危険な位置に達することを阻止する。
【請求項２】
向きを変える際の角度からその部分の位置が算出され、調節装置を徐々に調節することによって調節方法が経験的に決められると同時に、決定された調節方法に基づいた角度が結果的に決められるか、または、調節装置の幾何学的手法に基づいた位置や調節方法が算出されることを特徴とする、請求項１に記載された調節可能なソファ又はベッド。
【請求項３】
用いられる調節モーターが、回動可能に配されると共に、駆動の心棒またはねじ山棒を出したり引っ込めたりすることができることを特徴とする、請求項１または２に記載された調節可能なソファ又はベッド。
【請求項４】
心棒またはねじ山棒が自己制御力を有することを特徴とする、請求項３に記載された調節可能なソファ又はベッド。
【請求項５】
ステップモーターまたは調節装置を使用することを特徴とする、請求項１〜４の何れかに記載された調節可能なソファ又はベッド。
【請求項６】
動かして向きを変えることのできる部分の、外側に向かう先端部分においても、少なくとも１００ｋｇの負荷，さらには２００ｋｇそして特に好ましくはさらに少なくとも３００ｋｇまでの負荷がかかっても調節できることを特徴とする、請求項１〜５の何れかに記載された調節可能なソファ又はベッド。
【請求項７】
使用中に、ソファの足部分及び／又は頭部分に、少なくとも１００Ｋｇの負荷、さらには、少なくとも２００Ｋｇそして特に好ましくは、さらに少なくとも３００ｋｇの負荷をかけても安全な下部構造を有することを特徴とする、請求項６に記載された調節可能なソファ又はベッド。
【請求項８】
アルミ材、特に穴あき材でできた下部構造を有することを特徴とする、請求項７に記載された調節可能なソファ又はベッド。
【請求項９】
動かして向きを変えることのできる部分の調節装置のために、補強部品及び／または寝床台を用いることを特徴とする、請求項１〜８の何れかに記載された調節可能なソファ又はベッド。
【請求項１０】
動かして向きを変えることのできる部分を寝床台と結合させる、関節として機能する調節装置を有することを特徴とする、請求項９に記載された調節可能なソファ又はベッド。
【手続補正２】
【補正対象書類名】明細書
【補正対象項目名】０００３
【補正方法】変更
【補正の内容】
【０００３】
よく知られているソファとして、更に、別々の異なる部分が、一つのモーターによって向きを変えることのできるものがある。モーターで、所望するあらゆる位置に向きを変えることができる。最良の状態により近くなるよう色々試す際に、多くの人がモーターなしで向きを変えることを強いられてきた。その際には、立ち上がり再び横になることを何度もせざるを得なかった。モーターで調節できれば、その必要がなくなるので、モーター調節によってより快適になることがわかる。
上半身と下半身の部分を動かして向きを変えることができるソファは知られている。また、頭と足の部分を動かして向きを変えられるソファも知られている。更に、動かして向きを変えることのできるあらゆる部分のための、別々の調節装置、つまり調節装置として調節モーターが使われることも知られている。
ソファに独立した調節装置があれば、利用者個人個人に合わせた調整が可能になる。
このような、モーターで動かして向きを変える調節装置付きソファは、ドイツ公開第１９９０３１１２ＡＩ号公報に開示されている。ここでは、上半身、下半身それぞれの調節モーターが備わっている。
【手続補正３】
【補正対象書類名】明細書
【補正対象項目名】０００４
【補正方法】変更
【補正の内容】
【０００４】
モーターで動かして向きを変える調節装置付きソファは、また、米国特許第６３４３３９２号公報にも開示されている。ここでは、上半身部分及び脚部分のために別々の調節モーターが備えられていて、ドイツ公開第１９９０３１２ＡＩ号公報に極めて近いことがわかる。更に、頭部と足部は、上半身用と脚部用の、動かして向きを変える部分の位置から、作動機構に従って操作される。このモーターで動かして向きを変える調節装置付きソファは、周知の米国特許第４２５８４４５１号公報に記載されたものよりはるかに向上している。ここでは、力学的に、ソファや椅子がどのように向きを変えられるか、様々な可能性が示されている。更に、動かして向きを変えられる部分を用いた実施例が、米国特許第６３４３３９２号公報に示されている。しかしながら、一歩前進した解決策として認められるほどではない点が重要である。
モーターで動かして向きを変える調節装置付きソファは、米国特許第４４９０７０３０号公報に記載されている。動かして向きを変える色々な部分を備えた周知のソファは、調節モーターによって動かされる。パンフレットには、利用者のけがの危険性が想定されていることが明示されている。利用者の手または足が、誤って装置に触れた場合には、センサーが感知することによってけがの危険性が防止されなければならない。パンフレットには、また、他のけがの危険性が存在することも予測されている。別々の、独立した調節モーターは、折りたたむ際に危険である可能性もある。又、別の危険な向きになることもある。
モーターで動かして向きを変える調節は、同時にけがの危険性を含んでいる。もしソファが、座席部分から続く、調節可能で固定された上半身部分及び脚部分で成り立っている場合には特にそうである。もし、両方の部分が、横になっている人に対して、それぞれ逆方向に調節されたら、この人は両方の部品の間で締め付けられる可能性がある。他のソファについては、足のけがの危険性もある。なぜなら、足部分の下で足が締め付けられる可能性があるからである。
【手続補正４】
【補正対象書類名】明細書
【補正対象項目名】０００７
【補正方法】変更
【補正の内容】
【０００７】
この発明によれば、向きを変える際に、必要以上に各部分が動かないよう、計算機が予測し、阻止する。これによって、隣接する各部分が互いに近づき過ぎることによるけがの危険性がなくなることを保証する。上半身部分と脚部分を備えたソファにとっては、とりわけこの利点は重要である。特に補足するが、足部分と床部分の間で足が留め具に挟まるのを阻止するために、脚部分と足部分の動きを制限する手段がとられる。
ソファの、動かして向きを変える部分の操作は、確かにドイツ公開第４３０５９３９ＡＩ号公報でよく知られている。そこには、変換器のようなものによる方法、例えばアナログ切り替え装置（Ａｎａｌｏｇｇｅｂｅｒ）による標準操作（ｅｉｎｅ  Ｓｔｅｕｅｒｅｉｎｈｅｉｔ）が想定されている。アナログ切り替え装置の信号は、標準操作に従って供給される。標準操作によって電流刺激が指令を出して、調節モーターを動かし続ける。標準操作は、備え付けのプロセス計算機とメモリーと共に実施例に記されている。しかしながら、標準操作は、結局、ソファの製造時に、動かして向きを変えることができる部分を試験的に動かして、好ましい動きになるかどうかだけを見るために利用される。前述のような、動かして向きを変える際の、想定される危険性を阻止することについては言及されていない。
【国際調査報告】
2006512118.tif 000007
2006512118.tif 000008
2006512118.tif 000009
2006512118.tif 000010
2006512118.tif 000011
2006512118.tif 000012